(57)【要約】【課題】  快速に組み立てることができて、イヤホーンのプラグの定位がより確実になり、且つ金属角部に松脂を塗布しても、過熱炉で松脂が金属角部の内部に侵入しないようにすること。【解決手段】  一つのソケットと、一つの保護マスクと、複数の独立端子とから構成されるイヤホーン用ソケットの構造であって、前記ソケットには係止孔を開けた溝が設けてある。独立端子の前記係止孔と対応する箇所では後退止めフックが設けてあり、前記保護マスクはソケットにある金属角部をカバーする。【選択図】  図１
0003108135.tif 000002
【実用新案登録請求の範囲】
【請求項１】
一つのソケットと、一つの保護マスクと、複数の独立端子とから構成されるイヤホーン用ソケットの構造において、
前記ソケットは、一体成形されたものであり、コ字形溝と挿入孔とが設けてあり、前記コ字形溝の内部には金属角部が設けてあり、前記金属角部から一つの金属端子が湾折し延在してあり、その一端には窪み部が設けてあり、且つ前記コ字形溝の二つの窪み側面と窪み部とに係り突起が設けてあり、前記ソケットには複数の溝が設けてあり、前記溝は前記ソケットの内部にある連接素子に対応し、且つ前記溝のソケットと連通する一側面には貫通孔が設けてあり、前記溝のソケットと連通する挿入孔には取付孔が設けてあり、前記溝の内壁には係止孔が突設してあり、
前記保護マスクは、絶縁材質で作製されたものであり、その周縁にある湾折アームがそれぞれ前記ソケットの窪み部とコ字形溝の両側とに嵌め込まれ、且つ前記各湾折アームが係止孔により各係り突起と係止し、前記保護マスクは前記ソケットの金属角部を完全にカバーし、前記ソケットにある金属端子と対応する箇所では貫通孔が開けてあり、前記貫通孔により金属端子が定位され、
前記複数の独立端子は、導電材質で一体に湾折し成形されたものであり、その一端は接触端であり、湾折部に近接する箇所では後退止めフックが突設してあり、独立端子はその湾折部により前記ソケットの溝の内部に圧迫し止められ、且つ前記接触端がソケットにある貫通孔を貫通し延出し、前記独立端子の接触端から遠ざかる一端はソケットの取付孔から露出し、前記後退止めフックは前記溝の内壁にある係止孔に係止され、そのうちの一つの独立端子の接触端から遠ざかる一端には作動端が幅方向へ湾折し延在してあり、イヤホーンのプラグが前記ソケットにある挿入孔に挿入するときには、前記作動端が前記プラグに押されて他の一つの独立端子と接触して電気的伝導することを特徴とする、
イヤホーン用ソケットの構造。
【考案の詳細な説明】
【技術分野】
【０００１】
本考案はイヤホーン用ソケットの構造に係り、特に快速に組み合うことができ、イヤホーンのプラグの定位がより確実になるイヤホーン用ソケットの構造に関するものである。
【背景技術】
【０００２】
従来のものは、部品の点数が多いので、組み立てるときに時間がかなり掛かり、且つイヤホーンのプラグの定位も不確実であった。
【考案の開示】
【考案が解決しようとする課題】
【０００３】
本考案の主な目的は、快速に組み合うことができ、イヤホーンのプラグの定位がより確実になるイヤホーン用ソケットの構造を提供することにある。
【０００４】
本考案の次の目的は、金属角部に松脂を塗布しても、過熱炉では松脂が金属角部の内部に侵入しないので、イヤホーンの接触不良現象を発生しないイヤホーン用ソケットの構造を提供することにある。
【課題を解決するための手段】
【０００５】
上記目的を達成するためになされた本願の考案は、一つのソケットと、一つの保護マスクと、複数の独立端子とから構成されるイヤホーン用ソケットの構造を前提とする。
【０００６】
前記ソケットは、一体成形されたものであり、コ字形溝と挿入孔とが設けてあり、前記コ字形溝の内部には金属角部が設けてあり、前記金属角部から一つの金属端子が湾折し延在してあり、その一端には窪み部が設けてあり、且つ前記コ字形溝の二つの窪み側面と窪み部とには係り突起が設けてあり、また、前記ソケットには複数の溝が設けてあり、前記溝は前記ソケットの内部にある連接素子に対応し、且つ前記溝のソケットと連通する一側面には貫通孔が設けてあり、前記溝のソケットと連通する挿入孔には取付孔が設けてあり、また、前記溝の内壁には係止孔が突設してある。
【０００７】
前記保護マスクは、絶縁材質で作製されたものであり、その周縁にある湾折アームがそれぞれ前記ソケットの窪み部とコ字形溝の両側とに嵌め込まれ、且つ前記各湾折アームが係止孔により各係り突起と係止し、前記保護マスクは前記ソケットの金属角部を完全にカバーし、前記ソケットにある金属端子と対応する箇所では貫通孔が開けてあり、前記貫通孔により金属端子が定位される。
【０００８】
前記複数の独立端子は、導電材質で一体に湾折し成形されたものであり、その一端は接触端であり、湾折部に近接する箇所では後退止めフックが突設してあり、独立端子はその湾折部により前記ソケットの溝の内部に圧迫し止められ、且つ前記接触端がソケットにある貫通孔を貫通し延出し、前記独立端子の接触端から遠ざかる一端はソケットの取付孔から露出し、前記後退止めフックは前記溝の内壁にある係止孔に係止され、そのうちの一つの独立端子の接触端から遠ざかる一端には作動端が幅方向へ湾折し延在してあり、イヤホーンのプラグが前記ソケットにある挿入孔に挿入するときには、前記作動端が前記プラグに押されて他の一つの独立端子のと接触し電気的伝導することを特徴とするイヤホーン用ソケットの構造であることを要旨としている。
【考案の効果】
【０００９】
本考案に係るイヤホーン用ソケットの構造によれば、次のような効果がある。
（１）快速に組み合うことができ、且つイヤホーンのプラグの定位がより確実になる。
【００１０】
（２）保護マスクはソケットの金属角部を完全にカバーすることができるので、金属角部に松脂を塗布しても、過熱炉では松脂が金属角部の内部に侵入しないので、イヤホーンの接触不良現象は発生しない。
【考案を実施するための最良の形態】
【００１１】
以下、添付図面を参照して本考案の好適な実施の形態を詳細に説明する。
【００１２】
まず、図１乃至図４を参照する。本考案に係るホーン用ソケットの構造は、一つのソケット２０と、一つの保護マスク３０と、複数の独立端子４０とから構成される。
【００１３】
前記ソケット２０は、樹脂で一体に成形されたものであり、一つのコ字形溝２１とが設けてあり、前記コ字形溝２１の内部には金属角部２２が設けてあり、前記金属角部２２から一金属端子２２１が湾折し延在してあり、その一端には窪み部２３が設けてあり、且つ前記コ字形溝２１の両側には窪み側面２４が設けてあり、前記二窪み側面２４と窪み部２３とには係り突起２５が設けてあり、また、前記ソケット２０には複数の溝２６が設けてあり、前記溝２６の設ける方向がソケット２０の取付方向と反対し、前記溝２６は前記ソケット２０の内部にある連接素子に対応し、且つ前記溝２６の内壁には一つの矩形な係止孔２６１が突設してあり、前記ソケット２０の一端には挿入孔２７が設けてあり、前記溝２６のソケット２０と連通する挿入孔には取付孔２０１が設けてあり、前記溝２６のソケット２０と連通する一側面には一つの貫通孔２０２が開けてある。
【００１４】
前記保護マスク３０は、絶縁材質で作製されたものであり、前記ソケット２０のコ字形溝２１に対応し、その周縁には三つの湾折アーム３１ａ,３１ｂ,３１ｃが湾折し設けてあり、各湾折アーム３１ａ,３１ｂ,３１ｃには一つ係止孔３２がそれぞれ開けてあり、且つ湾折アーム３１ａ,３１ｂがそれぞれ前記ソケット２０のコ字形溝２１の二つの窪み側面２４と対応し、湾折アーム３１ｃが前記ソケット２０の窪み部２３と対応し、前記保護マスク３０がコ字形溝２１をカバーするときには、前記各湾折アーム３１ａ,３１ｂ,３１ｃが係止孔３２により各係り突起２５と係止し、前記保護マスク３０は前記ソケット２０の金属角部２２を完全にカバーし、前記ソケット２０の金属端子２２１と対応する箇所では貫通孔３３が開けてあり、前記貫通孔３３により金属端子２２１が定位される。
【００１５】
前記複数の独立端子４０は、導電材質で一体に湾折し成形されたものであり、成形されたＵ型湾折部４１が弾力を発生し、その一端は接触端４２であり、他端にはストッパー４３が設けてあり、前記湾折部４１に近接する箇所では一つの後退止めフック４４が突設してあり、独立端子４０はその湾折部４１とストッパー４３とにより前記ソケット２０の溝２６の内部に圧迫し止められることにより、独立端子４０がソケット２０の連接素子と接触し、且つ前記接触端４２がソケット２０にある貫通孔２０２を貫通し延出し、前記独立端子４０のストッパー４３を設けた一端はソケット２０の取付孔２０１から露出し、前記後退止めフック４４は前記溝２６の内壁にある係止孔２６１に係止され、そのうちの一独立端子４０の接触端４２から遠ざかる一端には作動端４５が幅方向へ湾折し延在してあり、前記作動端４５の端部には一つの伝導部４５１が湾折し成形される。
【００１６】
また、図１と図２に示すように、本考案に係る保護マスク３０は絶縁性の樹脂マスクであり、その周縁にある湾折アーム３１ａ,３１ｂ,３１ｃに開けた係止孔３２がそれぞれ前記ソケット２０の各係り突起２５と係止することにより、前記保護マスク３０は前記ソケット２０の金属角部２２を完全にカバーすることができるので、前記金属角部２２に松脂を塗布しても、過熱炉では松脂が金属角部２２の内部に侵入しないので、イヤホーンの接触不良現象は発生しない。
【００１７】
また、前記保護マスク３０の金属端子２２１と対応する箇所では貫通孔３３が開けてあり、前記貫通孔３３により金属端子２２１が定位され、且つ前記貫通孔３３が前記金属端子２２１を安定に固定することができるので、前記金属端子２２１が変形し又は折損することがあり得ない。
【００１８】
また、図３と図４に示すように、独立端子４０を取付けるときには、独立端子４０をソケット２０にある溝２６に挿入して、独立端子４０の接触端４２をソケット２０にある取付孔２０１から延出するようにし、なお、前記独立端子４０はその湾折部４１とストッパー４３とにより前記ソケット２０の溝２６の内部に圧迫し止められ、且つ前記後退止めフック４４は前記溝２６の内壁にある矩形な係止孔２６１に係止されることにより、前記独立端子４０が前記ソケット２０にある溝２６内に快速で精確に定位することができる。
【００１９】
独立端子４０にある後退止めフック４４は独立端子４０の一部を湾折し形成されたものなので、前記後退止めフック４４が溝２６の内壁に圧縮されて変形し、これにより、前記独立端子４０はソケット２０の溝２６に容易に係合することができ、且つ前記後退止めフック４４が溝２６にある矩形な係止孔２６１に進入したと、前記後退止めフック４４が弾き出して前記係止孔２６１と係止するので、前記独立端子４０を安定で確実に定位することができる。
【００２０】
図３と図５に示すように、イヤホーン・プラグ５０をソケット２０の挿入孔２７に挿入するときには、イヤホーン・プラグ５０が独立端子４０にある作動端４５を圧縮して、前記作動端４５の伝導部４５１が他の独立端子４０にあるストッパー４３に接触し、このとき、独立端子４０は回路設計により電気的伝導状態になって、音声の電気信号は回路板から金属端子２２１（図３と図５に金属端子２２１が表示せずが、図４における金属端子２２１を参照）と独立端子４０とを経由してイヤホーン・プラグ５０に伝導する。本考案では、独立端子４０の作動端４５の伝導部４５１が他の独立端子４０にあるストッパー４３を接触することにより電気的伝導状態になるので、これは接触スイッチである。
【００２１】
使用者はイヤホーン・プラグ５０をソケット２０にある挿入孔２７から引出すときに、独立端子４０の作動端４５が弾力によって回復することにより、独立端子４０の作動端４５が復帰され、且つ前記作動端４５の伝導部４５１は独立端子４０にあるストッパー４３と接触しなくなるので、電気的に伝導しない状態になる。
【００２２】
一方、図６に示すのは本考案の実施例２の分解斜視図である。本例では一つのソケット２０と、一つの保護マスク３０と、複数の独立端子４０とから構成されるものであり、各部材の構造およびその形態は実施例１と同様なので、説明を省略する。先の実施例１と異なる点は、独立端子４０のストッパーを設けた端縁では一つの湾折部４６が設けてあり、前記湾折部４６により、独立端子４０をソケット２０にある溝２６に取付けるときに、独立端子４０がソケット２０にある溝２６から容易に脱出できないようになっている。なお、実施例２の実施形態および効果は実施例１と同様なので説明を省略する。
【図面の簡単な説明】
【００２３】
【図１】本考案の分解状態の断面図である。
【図２】本考案の組合状態の断面図である。
【図３】本考案に係る独立端子の分解斜視図である。
【図４】本考案に係る独立端子の組合状態の断面図である。
【図５】本考案の使用状態を示す断面図である。
【図６】本考案の実施例２の分解斜視図である。
【符号の説明】
【００２４】
２０      ソケット                ２０１    取付孔
２０２    貫通孔                  ２１      コ字形溝
２２      金属角部                ２２１    金属端子
２３      窪み部                  ２４      窪み側面
２５      係り突起                ２６      溝
２６１    係止孔                  ２７      挿入孔
３０      保護マスク              ３１ａ    湾折アーム
３１ｂ    湾折アーム              ３１ｃ    湾折アーム
３２      係止孔                  ３３      貫通孔
４０      独立端子                ４１      湾折部
４２      接触端                  ４３      ストッパー
４４      後退止めフック          ４５      作動端
４５１    伝導部                  ５０      イヤホーン・プラグ
【図１】
0003108135.tif 000003
【図２】
0003108135.tif 000004
【図３】
0003108135.tif 000005
【図４】
0003108135.tif 000006
【図５】
0003108135.tif 000007
【図６】
0003108135.tif 000008